(57)【特許請求の範囲】
【請求項１】
ユーザーが必要なときに所望のサービスが受けられ、テキストのデータとそれに関連する少なくとも映像と音声のいずれか一方を含み、それぞれのデータ間で参照し合えるようにリンクされたマルチメディア型の情報サービスにおいて、
情報サービス内で使用される前記映像や音声のデータにＩＤや時刻情報のインデックスを付けて、サービスを全てのユーザーに対して同時放送で行なう同時放送サービス用伝送路によってユーザー側へ一斉伝送する手段と、
前記同時放送サービス用伝送路で伝送されてきた前記映像や音声データを、前記インデックスを付けてユーザー側の記憶装置に自動的に保存する手段と、
情報サービス内で使用される前記映像や音声データ以外のデータと当該映像や音声データに付けられていた前記ＩＤや時刻情報のインデックスとを付加してサービス提供側のサービス内容に基づいてサービスをユーザーが個別に所望したときに受けられる個別通信サービス用伝送路でユーザー側へ個別伝送する手段と、
ユーザーの要求に応じて、前記個別通信サービス用伝送路で伝送されてきた前記映像や音声データ以外のデータをユーザー側の表示装置へ表示する手段と、
前記表示装置に表示された前記データに付加されている前記インデックスにより、前記記憶装置から当該インデックスが付けられている前記映像や音声データを呼び出してユーザー側の出力装置で出力する手段と
を含むことを特徴とするマルチメディア型情報サービス方式。
【請求項２】
請求項１に記載のマルチメディア型情報サービス方式の実施に使用する装置であって、
マルチメディア型情報サービス内で使用されるデータを、映像や音声データ以外のテキストや画面構成を決定するレイアウト情報などのデータと、映像や音声データとに分ける情報分離手段と、
前記映像や音声データが一意に決定されるＩＤを含むインデックスを作成するインデックス作成手段と、
前記映像や音声データに前記作成したＩＤを含むインデックスを付加してサービスを全てのユーザーに対して同時放送で行なう同時放送サービス用伝送路によってユーザー側へ一斉伝送する放送手段と、
前記映像や音声データ以外のテキストなどのデータと前記作成したＩＤを含むインデックスとを付加してサービス提供側のサービス内容に基づいてサービスをユーザーが個別に所望したときに受けられる個別通信サービス用伝送路によってユーザー側へ個別伝送する通信手段と、
を具備することを特徴とするマルチメディア型情報サービス送信装置。
【請求項３】
請求項２に記載の前記マルチメディア型情報サービス送信装置から前記同時放送サービス用伝送路を通じて伝送されてきた前記映像や音声データを前記ＩＤを含むインデックスとともにユーザー側の記憶装置に自動的に保存する記憶手段と、
ユーザーの要求に応じて、前記個別通信サービス用伝送路で伝送されてきた前記映像や音声データ以外のデータをユーザー側の表示装置へ表示する表示手段と、
前記表示装置に表示された前記データに付加されている前記インデックスにより、前記記憶装置から当該インデックスが付けられている前記映像や音声データを呼び出してユーザー側で出力する出力手段と
を具備することを特徴とするマルチメディア型情報サービス受信装置。
【請求項４】
ユーザーが必要なときに所望のサービスが受けられ、テキストのデータとそれに関連する少なくとも映像と音声のいずれか一方を含み、それぞれのデータ間で参照し合えるようにリンクされたマルチメディア型の情報サービスにおいて、
マルチメディア型情報サービス内で使用されるデータを、映像や音声データ以外のテキストや画面構成を決定するレイアウト情報などのデータと、映像や音声データとに分ける手段と、
前記映像や音声データを伝送するサービスを全てのユーザーに対して同時放送で行なう同時放送サービス用伝送路を特定する情報と正確な伝送開始時刻および伝送終了時刻を含む第１の情報を作成する手段と、
前記映像や音声データ以外のテキストなどのデータに前記作成した第１の情報を付加して、サービス提供側のサービス内容に基づいてサービスをユーザーが個別に所望したときに受けられる個別通信サービス用伝送路によってユーザー側へ個別伝送する手段と、
前記第１の情報に従って前記映像や音声データを前記同時放送サービス用伝送路によってユーザー側へ一斉伝送する手段と
を含むことを特徴とするマルチメディア型情報サービス方式。
【請求項５】
請求項４に記載のマルチメディア型情報サービス方式の実施に使用する装置であって、
前記同時放送サービス用伝送路によって伝送されてきた映像や音声データに、該同時放送サービス用伝送路を特定する情報およびユーザー側の正確な時計から得られる伝送された時刻を含む第２の情報を付加してユーザー側の記憶装置へ自動的に保存する記憶手段と、
ユーザーの要求に応じて、前記個別通信サービス用伝送路によって伝送されてきた前記映像や音声データ以外のデータをユーザー側の表示装置へ表示する表示手段と、
前記表示装置に表示された前記データに付加されている前記第１の情報により、前記記憶装置から当該第１の情報に対応する前記第２の情報が付けられている前記映像や音声データを呼び出してユーザー側で出力する出力手段と
を具備することを特徴とするマルチメディア型情報サービス受信装置。
【発明の詳細な説明】
【０００１】
【発明の属する技術分野】
本発明は、ユーザーが必要なときに所望のサービスが受けられ、映像・音声・テキストなどのデータを含み、それぞれのデータ間で参照し合えるようにリンクされたマルチメディア型の情報サービスにおいて、情報サービス内で使用されるデータを伝送するマルチメディア型情報サービス方式、マルチメディア型情報サービス送信装置およびマルチメディア型受信装置に関する。
【０００２】
【従来の技術】
独立データ放送（すなわち、番組連動型データ放送は除外される）や通信回線など、サービス提供側のサービス内容に基づいてサービスをユーザーが個別に所望したときに受けられる個別通信サービス用伝送路を利用し、ユーザーが必要なときに所望のサービスが受けられ、映像・音声・テキストなどのデータを含み、それぞれのデータ間で参照し合えるようにリンクされた従来のマルチメディア型の情報サービスでは、情報サービス内で使用される映像や音声データも、それ以外のテキストデータなどと同じ上記の個別通信サービス用伝送路によって伝送していた。
【０００３】
【発明が解決しようとする課題】
しかしながら、映像や音声データ以外のテキストなどのデータと比較して、映像や音声データは、一般的にデータ量が多い。したがって、全体のデータ量が多くなり、データの伝送時間が長くなるという課題があった。
【０００４】
また、伝送時間を短くするためには、容量の大きな伝送路を用いるか、あるいは情報量を減らしたり、品質を落とすなどして全体のデータ量を減らさなければならないという課題があった。
【０００５】
本発明の目的は、上述の点に鑑み、ユーザーが必要なときに所望のサービスが受けられ、映像・音声・テキストなどのデータを含み、それぞれのデータ間で参照し合えるようにリンクされたマルチメディア型の情報サービスにおいて、ユーザーが必要なときに所望のサービスが受けられる独立データ放送や通信回線などのサービス提供側のサービス内容に基づいてサービスをユーザーが個別に所望したときに受けられる個別通信サービス用伝送路に大容量の伝送路を割り当てなくとも、また情報サービスのデータ量の削減をせずに、情報サービスの伝送時間を短くすることができるマルチメディア型情報サービス方式およびその方式の実施に使用する装置を提供することにある。
【０００６】
【課題を解決するための手段】
上記目的を達成するため、請求項１のマルチメディア型情報サービス方式の発明は、ユーザーが必要なときに所望のサービスが受けられ、テキストのデータとそれに関連する少なくとも映像と音声のいずれか一方を含み、それぞれのデータ間で参照し合えるようにリンクされたマルチメディア型の情報サービスにおいて、情報サービス内で使用される前記映像や音声のデータにＩＤや時刻情報のインデックスを付けて、サービスを全てのユーザーに対して同時放送で行なう同時放送サービス用伝送路によってユーザー側へ一斉伝送する手段と、前記同時放送サービス用伝送路で伝送されてきた前記映像や音声データを、前記インデックスを付けてユーザー側の記憶装置に自動的に保存する手段と、情報サービス内で使用される前記映像や音声データ以外のデータと当該映像や音声データに付けられていた前記ＩＤや時刻情報のインデックスとを付加してサービス提供側のサービス内容に基づいてサービスをユーザーが個別に所望したときに受けられる個別通信サービス用伝送路でユーザー側へ個別伝送する手段と、ユーザーの要求に応じて、前記個別通信サービス用伝送路で伝送されてきた前記映像や音声データ以外のデータをユーザー側の表示装置へ表示する手段と、前記表示装置に表示された前記データに付加されている前記インデックスにより、前記記憶装置から当該インデックスが付けられている前記映像や音声データを呼び出してユーザー側の出力装置で出力する手段とを含むことを特徴とする。
【０００７】
上記目的を達成するため、請求項２のマルチメディア型情報サービス送信装置の発明は、請求項１に記載のマルチメディア型情報サービス方式の実施に使用する装置であって、マルチメディア型情報サービス内で使用されるデータを、映像や音声データ以外のテキストや画面構成を決定するレイアウト情報などのデータと、映像や音声データとに分ける情報分離手段と、前記映像や音声データが一意に決定されるＩＤを含むインデックスを作成するインデックス作成手段と、前記映像や音声データに前記作成したＩＤを含むインデックスを付加してサービスを全てのユーザーに対して同時放送で行なう同時放送サービス用伝送路によってユーザー側へ一斉伝送する放送手段と、前記映像や音声データ以外のテキストなどのデータと前記作成したＩＤを含むインデックスとを付加してサービス提供側のサービス内容に基づいてサービスをユーザーが個別に所望したときに受けられる個別通信サービス用伝送路によってユーザー側へ個別伝送する通信手段と、を具備することを特徴とする。
【０００８】
上記目的を達成するため、請求項３のマルチメディア型情報サービス受信装置の発明は、請求項２に記載の前記マルチメディア型情報サービス送信装置から前記同時放送サービス用伝送路を通じて伝送されてきた前記映像や音声データを前記ＩＤを含むインデックスとともにユーザー側の記憶装置に自動的に保存する記憶手段と、ユーザーの要求に応じて、前記個別通信サービス用伝送路で伝送されてきた前記映像や音声データ以外のデータをユーザー側の表示装置へ表示する表示手段と、前記表示装置に表示された前記データに付加されている前記インデックスにより、前記記憶装置から当該インデックスが付けられている前記映像や音声データを呼び出してユーザー側で出力する出力手段とを具備することを特徴とする。
【０００９】
上記目的を達成するため、請求項４のマルチメディア型情報サービス方式の発明は、ユーザーが必要なときに所望のサービスが受けられ、テキストのデータとそれに関連する少なくとも映像と音声のいずれか一方を含み、それぞれのデータ間で参照し合えるようにリンクされたマルチメディア型の情報サービスにおいて、マルチメディア型情報サービス内で使用されるデータを、映像や音声データ以外のテキストや画面構成を決定するレイアウト情報などのデータと、映像や音声データとに分ける手段と、前記映像や音声データを伝送するサービスを全てのユーザーに対して同時放送で行なう同時放送サービス用伝送路を特定する情報と正確な伝送開始時刻および伝送終了時刻を含む第１の情報を作成する手段と、前記映像や音声データ以外のテキストなどのデータに前記作成した第１の情報を付加して、サービス提供側のサービス内容に基づいてサービスをユーザーが個別に所望したときに受けられる個別通信サービス用伝送路によってユーザー側へ個別伝送する手段と、前記第１の情報に従って前記映像や音声データを前記同時放送サービス用伝送路によってユーザー側へ一斉伝送する手段とを含むことを特徴とする。
【００１０】
上記目的を達成するため、請求項５のマルチメディア型情報サービス受信装置の発明は、請求項４に記載のマルチメディア型情報サービス方式の実施に使用する装置であって、前記同時放送サービス用伝送路によって伝送されてきた映像や音声データに、該同時放送サービス用伝送路を特定する情報およびユーザー側の正確な時計から得られる伝送された時刻を含む第２の情報を付加してユーザー側の記憶装置へ自動的に保存する記憶手段と、ユーザーの要求に応じて、前記個別通信サービス用伝送路によって伝送されてきた前記映像や音声データ以外のデータをユーザー側の表示装置へ表示する表示手段と、前記表示装置に表示された前記データに付加されている前記第１の情報により、前記記憶装置から当該第１の情報に対応する前記第２の情報が付けられている前記映像や音声データを呼び出してユーザー側で出力する出力手段とを具備することを特徴とする。
【００１１】
本発明では、独立データ放送や通信回線など、サービス提供側のサービス内容に基づいてサービスをユーザーが個別に所望したときに受けられる個別通信サービス用伝送路を利用し、ユーザーが必要なときに所望のサービスが受けられ、映像・音声・テキストなどのデータを含み、それぞれのデータ間で参照し合えるようにリンクされたマルチメディア型の情報サ−ビスにおいて、情報サービス内で使用される映像や音声データを、テレビジョン放送などのサービスを同時放送で行なう同時放送サービス用伝送路（この伝送路では、サービス提供側が映像や音声データを伝送するスケジュールを決定するため、ユーザーが必要な時に所望のサービスが受けられない。）によって伝送し、ユーザー側のディスク装置などの記憶装置に自動的に保存したものを利用するので、上記の個別通信サービス用伝送路に対し、大容量の伝送路の割り当てや情報サービスのデータ量の削減をせずに、情報サービスの伝送時間を短くすることができる。
【００１２】
【発明の実施の形態】
以下、図面を参照して本発明の実施の形態を詳細に説明する。
【００１３】
（第１の実施の形態）
図１は、サービスを全てのユーザーに対して同時放送で行なう同時放送サービス用伝送路で伝送するデータにインデックスとしてＩＤを付加して伝送する、本発明の第１の実施の形態におけるデータ伝送のシステム構成を示す。
【００１４】
ユーザーが必要なときにサービスが受けられ、映像・音声・テキストなどのデータを含み、それぞれのデータ間で参照し合えるようにリンクされたマルチメディア型の情報サービスにおいて、映像や音声データ以外のテキストや映像や音声データを含む場合に、以下の手順でデータを伝送する。
【００１５】
ステップＳ１）
サービス提供者側Ａにおいて、マルチメディア型の情報サービス内で使用されるデータを、映像や音声以外のテキストや画面構成を決定するレイアウト情報などのデータ１０１と、映像や音声データ１０２とに分ける。
【００１６】
ステップＳ２）
サービス提供者側Ａにおいて、映像や音声データが一意に決定されるＩＤ（識別子）１０３を作成する。つまり、映像や音声データの組ごとに異なるＩＤ１０３がここで作成される。
【００１７】
ステップＳ３）
サービス提供者側Ａにおいて、映像や音声データ以外のタイトルや番組案内、関連情報、写真、地図などのテキスト、および画面構成や動作を決定するレイアウト情報などのデータ１０１に上記作成したＩＤ１０３を加算手段１１２により加算したものを独立データ放送や通信回線などの比較的伝送量の小さなサービス提供側のサービス内容に基づいてサービスをユーザーが個別に所望したときに受けられる個別通信サービス用伝送路（以降、個別通信サービス用伝送路と称する）１１０でユーザー側Ｂへ、伝送（例えばユーザー側Ｂの要求に応じて個別的に随時伝送）する。ユーザー側Ｂにおいてそのテキストなどのデータ１０１およびＩＤ１０３を受信する。受信したテキストなどのデータ１０１はそれに含まれるレイアウト情報に基づいて、ユーザー側Ｂの情報サービスのモニター画面に表示され、または後で表示するために記憶される。
【００１８】
ステップＳ４）
サービス提供者側Ａにおいて、上記のデータ１０１が除かれたそのデータ１０１に関連する映像や音声データ１０２に、上記と同じＩＤ１０３をＩＤ付加手段１３０により付加したものをテレビジョン放送などの比較的伝送量の大きなサービスを全てのユーザーに対して同時放送で行なう同時放送サービス用伝送路（以降、同時放送サービス用伝送路と称する）１２０でユーザー側Ｂへ一斉伝送する。
【００１９】
ステップＳ５）
ユーザー側Ｂは、その同時放送サービス用伝送路１２０で伝送されてきた映像や音声データ１０２をＩＤ１０３とともに受信して、ユーザー側のディスク装置などの記憶装置１４０に、自動的に保存しておく。
【００２０】
ステップＳ６）
ユーザーが、情報サービス内で映像や音声データを使用するときには、上記のステップＳ３において受信され、モニター画面上に表示された番組案内等のテキストなどのデータを選択指定すると、そのデータに付加されているＩＤ１０３により、記憶装置１４０へ保存しておいた同じＩＤ１０３をもつ映像や音声データを記憶装置１４０から呼び出して、情報サービス内で出力する。
【００２１】
（第２の実施の形態）
図２は、同時放送サービス用伝送路で伝送するデータにＩＤを付加するのではなく時刻を利用して伝送する、発明の第２の実施の形態におけるデータ伝送のシステム構成を示す。
【００２２】
独立データ放送や通信回線などの個別通信サービス用伝送路を利用し、ユーザーが必要なときにサービスが受けられ、映像・音声・テキストなどのデータを含み、それぞれのデータ間で参照し合えるようにリンクされたマルチメディア型の情報サービスにおいて、映像や音声データ以外のテキストや映像や音声データを含む場合に、以下の手順でデータを伝送する。
【００２３】
ステップＳ１１）
サービス提供者側Ａにおいて、マルチメディア型の情報サービス内で使用されるデータを、映像や音声データ以外のテキストや画面構成を決定するレイアウト情報などのデータ２０１と、映像や音声データ２０２とに分ける。
【００２４】
ステップＳ１２）
サービス提供者側Ａにおいて、映像や音声データを伝送するテレビジョン放送の伝送路のチャンネルなど同時放送サービス用伝送路を特定する情報および正確な伝送開始時刻および伝送終了時刻の情報２０３を作成する。
【００２５】
ステップＳ１３）
サービス提供者側Ａにおいて、映像や音声データ以外のテキスト、レイアウト情報などのデータ２０１に上記作成した情報２０３を加算手段２１２により加えたものを、ユーザーの要求に応じて、独立データ放送や通信回線などの個別通信サービス用伝送路２１０を通じてユーザー側Ｂへ伝送する。ユーザー側Ｂにおいてそのテキストなどのデータ２０１および情報２０３を受信する。受信したテキストなどのデータ２０１はそのデータに含まれるレイアウト情報を基にユーザー側Ｂの情報サービスのモニター画面に表示され、または後で表示するために記憶される。
【００２６】
ステップＳ１４）
サービス提供者側Ａにおいて、映像や音声データ２０１を上記情報２０３に従ってテレビジョン放送などの同時放送サービス用伝送路２２０でユーザー側Ｂへ一斉伝送する。
【００２７】
ステップＳ１５）
ユーザー側Ｂには、ディスク装置などの記憶装置２４０と正確な時計２５０を予め用意する。同時放送サービス用伝送路２２０によって伝送された映像や音声データ２０２は、伝送されたテレビジョン放送のチャンネルなどの同時放送サービス用伝送路を特定する情報およびユーザー側Ｂの正確な時計２５０から得られる伝送された時刻の情報２０４を付加して、記憶装置２４０へ自動的に保存しておく。
【００２８】
ステップＳ１６）
ユーザーが、情報サービス内で映像や音声データを使用するときには、上記のステップＳ１３において受信され、モニター画面上に表示された番組案内等のテキストなどのデータを選択指定すると、そのデータに付加されている情報２０３により、記憶装置２４０へ保存しておいた情報２０３と同じ内容の情報２０４をもつ映像や音声データを記憶装置２４０から呼び出して、情報サービス内で出力する。
【００２９】
（その他の実施の形態）
なお、本発明の目的は、前述した実施の形態の機能を実現するソフトウエアのプログラムコードを記録した記録媒体（記憶媒体）を、システムあるいは装置に供給し、そのシステムあるいは装置のコンピュータ（またはＣＰＵやＭＰＵ）が記録媒体に格納されたプログラムコードを読み出し、実行することによっても、達成されることは言うまでもない。この場合、記録媒体から読み出されたプログラムコード自体が前述した実施の形態の機能を実現することになり、そのプログラムコードを記録した記録媒体は本発明を構成することになる。そのプログラムコードを記録し、またテーブル等の変数データを記録する記録媒体としては、例えばフロッピーディスク、ハードディスク、光ディスク、光磁気ディスク、ＣＤ−ＲＯＭなどを用いことができる。
【００３０】
【発明の効果】
以上説明したように、本発明によれば、ユーザーが必要なときに所望のサービスが受けられ、映像・音声・テキストなどのデータを含み、それぞれのデータ間で参照し合えるようにリンクされたマルチメディア型の情報サ−ビスにおいて、情報サービス内で使用される上記映像や音声データ以外のデータを、ユーザーが必要な時に所望のサービスが受けられる独立データ放送や通信回線などのサービス提供側のサービス内容に基づいてサービスをユーザーが個別に所望したときに受けられる個別通信サービス用伝送路で伝送し、情報サービス内で使用される映像や音声データをテレビジョン放送などのサービスを同時放送で行なう同時放送サービス用伝送路（本伝送路では、サービス提供側が映像や音声データを伝送するスケジュールを決定するため、ユーザーが必要な時に所望のサービスが受けられない。）によって伝送するようにしたので、独立データ放送や通信回線などの上記の個別通信サービス用伝送路に対して大容量の伝送路の割り当てや情報サービスのデータ量の削減をせずに、情報サービスの伝送時間を短くすることが可能となる効果を奏する。
【図面の簡単な説明】
【図１】本発明の一実施形態におけるＩＤを使用したデータ伝送の概念を示すブロック図である。
【図２】本発明の他の実施形態の時刻を使用したデータ伝送の概念を示すブロック図である。
【符号の説明】
１０１、２０１  映像や音声データ以外のテキストやレイアウト情報などのデータ
１０２、２０２  映像や音声データ
１０３          映像や音声データが一意に決定されるＩＤ（識別子）
１１０、２１０  独立データ放送、通信回線などの個別通信サービス用伝送路
１１２、２１２  加算手段
１３０          ＩＤ付加手段
１２０、２２０  テレビジョン放送などの同時放送サービス用伝送路
１４０、２４０  記憶装置
２０３          伝送された同時放送サービス用伝送路を特定する情報および伝送開始・終了時刻の情報
２０４          伝送された同時放送サービス用伝送路を特定する情報および時刻
２５０          正確な時計
【図１】
0003550300.tif 000002
【図２】
0003550300.tif 000003